(57)【要約】【課題】図体の大形化を伴うことなく内部に装備した発熱性制御機器を容易に冷却できるエレベーターの制御盤を得る。【解決手段】内部に制御機器４を装備した後ユニット１の前面に開口部２を設け、また少なくとも発熱性制御機器６を装備した前ユニット５の後面の開口部７を後ユニット１の開口部２に対面して配置し、後ユニット１及び前ユニット５の両者を分離可能に装着する。また、上記の両者それぞれの換気孔３，９の相互に連通して上記両者内に冷却空気流を形成する通風手段１１を設ける。これによって、上記両者を分離して保守作業を行い作業能率を向上し、また通風手段１１により制御盤を大形化せずに発熱性制御機器６を容易に冷却できる。さらに、制御盤の設置場所の制約が軽減して狭隘場所への設置を容易化する。【選択図】        図２
2005008301.tif 000002
【特許請求の範囲】
【請求項１】
箱状をなし前面に開口部が形成されて内部に制御機器が装備された後ユニットと、箱状をなし内部に少なくとも発熱性制御機器が装備されて、後面に形成された開口部が上記後ユニットの開口部と対面して配置され、かつ上記後ユニットに分離可能に装着された前ユニットと、上記後ユニット及び前ユニットの両者のそれぞれに設けられた換気孔の相互に連通して構成されて上記両者内に冷却空気流を形成する通風手段とを備えたエレベーターの制御盤。
【請求項２】
一側が後ユニットに他側は前ユニットに装着されて、上記後ユニットに上記前ユニットを枢着したヒンジを備えたことを特徴とする請求項１記載のエレベーターの制御盤。
【請求項３】
通風手段を、後ユニット内に冷却空気流路が形成されてなるものとしたことを特徴とする請求項１記載のエレベーターの制御盤。
【請求項４】
通風手段を、前ユニット内に冷却空気流路が形成されてなるものとしたことを特徴とする請求項１記載のエレベーターの制御盤。
【請求項５】
通風手段を、冷却空気流路に外気を強制通風する送風機を有するものとしたことを特徴とする請求項１〜請求項４のいずれか一つに記載のエレベーターの制御盤。
【請求項６】
後ユニット内の制御機器の相互間に設けられて通風流を制御する通風制御板を備えたことを特徴とする請求項１〜請求項５のいずれか一つに記載のエレベーターの制御盤。
【発明の詳細な説明】
【０００１】
【発明の属する技術分野】
この発明は、内部に発熱性制御機器が装備されたエレベーターの制御盤に関する。
【０００２】
【従来の技術】
従来のエレベーターの制御盤においては、制御盤に通風ダクトが設けられてこの通風ダクトによる換気作用によって、制御盤内に装備された発熱性制御機器が冷却される。（例えば、特許文献１参照）。
【０００３】
【特許文献１】
特開２００１−３４１９４９号公報（第２頁、図１、図３）
【０００４】
【発明が解決しようとする課題】
従来のエレベーターの制御盤において、制御盤に設けられた通風ダクトは設置場所における所要スペース上で実質的にはデッドスペースとなる。このため、設置所要スペースが増大し、制御盤の設置場所が狭隘であってスペースの制約が大きい場合には設置困難になるという問題点があった。また、発熱性制御機器を通風ダクト内に配置することになるので、保守作業が容易でなく、冷却対象となる発熱性制御機器が基本的にはメンテナンス不要な機器に限られるという問題点があった。
【０００５】
この発明は、かかる問題点を解消するためになされたものであり、図体の大形化を伴うことなく装備された発熱性制御機器を容易に冷却できるエレベーターの制御盤を得ることを目的とする。
【０００６】
【課題を解決するための手段】
この発明に係るエレベーターの制御盤においては、箱状をなし前面に開口部が形成されて内部に制御機器が装備された後ユニットと、箱状をなし内部に少なくとも発熱性制御機器が装備されて、後面に形成された開口部が後ユニットの開口部と対面して配置され、かつ後ユニットに分離可能に装着された前ユニットと、後ユニット及び前ユニットの両者のそれぞれに設けられた換気孔の相互に連通して構成されて上記両者内に冷却空気流を形成する通風手段とが設けられる。
【０００７】
【発明の実施の形態】
実施の形態１．
図１〜図５は、この発明の実施の形態の一例を示す図で、図１は正面図、図２は図１のＡ−Ａ線断面図、図３は図１の側面図、図４は図１の制御盤の前ユニットを回動した状態を示す図１相当図、図５は図４のＢ−Ｂ線断面図である。図において、箱状をなす後ユニット１の前面に開口部２が形成されて、側面に換気孔３が設けられ内部に制御機器４が装備される。
【０００８】
また、箱状をなす前ユニット５の内部に発熱性制御機器６が装備されて、後面に形成された開口部７が後ユニット１の開口部２と対面する位置に配置される。そして前ユニット５は、幅方向の一側がヒンジ８によって後ユニット１に分離可能に枢着され、常時は開口部７が後ユニット１の開口部２に接続した状態に装着される。
【０００９】
また、前ユニット５の前面に換気孔９が設けられて発熱性制御機器６に対向して配置される。そして換気孔９に送風機１０が設けられて、換気孔９、前ユニット５内部、後ユニット１内部、換気孔３及び送風機１０による通風手段１１が形成される。また、後ユニット１内の制御機器４の相互間に設けられて通風方向、通風量等の通風流を制御する通風制御板１２が配置される。
【００１０】
上記のように構成されたエレベーターの制御盤において、後ユニット１にヒンジ８によって前ユニット５が枢着されて常時は前ユニット５の開口部７が後ユニット１の開口部２に接続した図２に示す状態に保持される。そして、保守作業時には前ユニット５がヒンジ８を介して回動され後ユニット１から分離されて図５に示す状態となり所要の保守作業が行われる。
【００１１】
また、前ユニット５の換気孔９、前ユニット５内部、後ユニット１内部、後ユニット１の換気孔３及び送風機１０によって形成された通風手段１１が設けられ、送風機１０が付勢されて前ユニット５の換気孔９、後ユニット１及び前ユニット５の内部並びに後ユニット１の換気孔３の間に冷却空気が強制通風される。これによって、制御盤内に特にダクトを設けず制御盤の図体の大形化を伴うことなしに、装備された発熱性制御機器に対する所要の冷却作用を容易に得ることができる。
【００１２】
したがって、制御盤内における制御機器４の実装効率が低下することなく、制御盤を小形化することができる。このため、制御盤の設置スペースの制約が緩和されて、狭隘な場所に容易に設置することができる。また、後ユニット１の換気孔３が側面に設けられるので、後ユニット１の裏面側における排気用空隙が不要になり制御盤の設置レイアウトにおける自由度を向上することができる。
【００１３】
さらに、前ユニット５が保守作業時に後ユニット１から分離できるので、保守作業が容易にでき保守作業能率を向上することができる。また、後ユニット１内の通風制御板１２により通風手段１１の通風方向、通風量等の通風流を制御することによって、前ユニット５からの通風を後ユニット１内の冷却に有効に利用することができる。
【００１４】
また、後ユニット１内の通風制御板１２によって通風方向、通風量等の通風流を制御することができて、後ユニット１の換気孔３からの排気流を容易に変更することができる。このため、多様な制御盤の設置レイアウトに容易に対応することができる。また、図１〜図５の実施の形態の構成を応用し、通風手段１１にヒートパイプ冷却器を容易に付加することも可能である。
【００１５】
【発明の効果】
この発明は以上説明したように、箱状をなし前面に開口部が形成されて内部に制御機器が装備された後ユニットと、箱状をなし内部に少なくとも発熱性制御機器が装備されて、後面に形成された開口部が後ユニットの開口部と対面して配置され、かつ後ユニットに分離可能に装着された前ユニットと、後ユニット及び前ユニットの両者のそれぞれに設けられた換気孔の相互に連通して構成されて上記両者内に冷却空気流を形成する通風手段とを設けたものである。
【００１６】
これによって、後ユニットに前ユニットが分離可能に装着され常時は前ユニット及び後ユニットの両者が相互に開口部を接続した状態に保持される。そして、保守作業時には前ユニットが後ユニットから分離されて保守作業が行われるので保守作業能率を向上する効率がある。そして、前ユニットの換気孔、前ユニット内部、後ユニット内部及び後ユニットの換気孔からなる冷却空気の空気流路を形成した通風手段が設けられるので、制御盤内に特にダクトを設けずに装備された発熱性制御機器に対する所要の冷却作用を容易に得ることができる。また、制御盤内における制御機器の実装効率が低下することがなく、制御盤が小形化できるので制御盤の設置スペースの制約が緩和されて、狭隘な場所への制御盤の設置を容易化する効果がある。
【図面の簡単な説明】
【図１】この発明の実施の形態１を示す正面図。
【図２】図１のＡ−Ａ線断面図。
【図３】図１の側面図。
【図４】図１の制御盤の前ユニットを回動した状態を示す図１相当図。
【図５】図４のＢ−Ｂ線断面図。
【符号の説明】
１  後ユニット、２  開口部、３  換気孔、４  制御機器、５  前ユニット、６  発熱性制御機器、７  開口部、８  ヒンジ、９  換気孔、１０  送風機、１１  通風手段、１２  通風制御板。
【図１】
2005008301.tif 000003
【図２】
2005008301.tif 000004
【図３】
2005008301.tif 000005
【図４】
2005008301.tif 000006
【図５】
2005008301.tif 000007